(57)【特許請求の範囲】
【請求項１】
被検体の左右の乳房を磁気共鳴イメージングにより撮像した３次元画像データから前記左右の乳房それぞれの２次元画像を生成し、生成した各２次元画像における胸壁部分が互いに向き合うように配置することで前記左右の乳房を対称に配置した対比用２次元画像を生成する生成手段と、
前記対比用２次元画像を表示部に表示させる表示制御手段とを備え、
前記生成手段は、Ｘ線マンモグラフィー撮影における頭尾方向又は左右方向のいずれに対応する方向で前記対比用２次元画像を生成するかに応じて、前記３次元画像データにおける被検体座標に基づいて投影処理を施すことで、前記対比用２次元画像を生成する、画像処理装置。
【請求項２】
前記生成手段は、前記生成した各２次元画像における胸壁部分を結合することで前記左右の乳房を対称に配置した対比用２次元画像を生成することを特徴とする請求項１に記載の画像処理装置。
【請求項３】
前記生成手段は、前記３次元画像データに対して前記被検体の頭尾方向又は左右方向に投影処理を施すことで前記左右の乳房それぞれの２次元投影画像を生成し、この２次元投影画像を配置することで前記対比用２次元画像を生成することを特徴とする請求項１に記載の画像処理装置。
【請求項４】
前記投影処理は最大値投影、最小値投影、加算平均の少なくとも一つを伴う処理であることを特徴とする請求項３に記載の画像処理装置。
【請求項５】
前記生成手段は、前記３次元画像データに含まれる領域のうち前記被検体の胸壁部分より背中側の領域を除いた領域に対して前記投影処理を施すことを特徴とする請求項３に記載の画像処理装置。
【請求項６】
前記生成手段は、前記３次元画像データから前記被検体の左右方向に並ぶ複数の体軸断面の２次元画像を生成し、生成した複数の２次元画像を左右の中心で２つの画像群に分け、左側の画像群に含まれる２次元画像の胸壁部分と右側の画像群に含まれる２次元画像の胸壁部分が互いに向き合うように配置することで複数の前記対比用２次元画像を生成することを特徴とする請求項１に記載の画像処理装置。
【請求項７】
前記生成手段は、前記３次元画像データから前記被検体の頭尾方向に並ぶ複数の矢状断面の２次元画像を生成し、生成した複数の２次元画像を前記３次元画像データの中心から同じ距離に位置する画像ごとに胸壁部分が互いに向き合うように配置することで複数の前記対比用２次元画像を生成することを特徴とする請求項１に記載の画像処理装置。
【請求項８】
前記表示制御手段は、Ｘ線マンモグラフィー装置によって取得されたＸ線マンモグラフィー画像を前記対比用２次元画像と対比可能に表示することを特徴とする請求項１に記載の画像処理装置。
【請求項９】
前記生成手段は、磁気共鳴イメージングによって取得された複数種類の前記３次元画像データのそれぞれから、複数種類の対比用２次元画像を生成し、
前記表示制御手段は、前記複数種類の対比用２次元画像を対比可能に表示することを特徴とする請求項１に記載の画像処理装置。
【請求項１０】
前記被検体を載置するための寝台と、
前記被検体からの磁気共鳴信号を受信し、前記寝台に設けられる受信ＲＦコイルと、
前記ＲＦコイルによって受信された磁気共鳴信号に基づいて前記３次元画像データを再構成する再構成部とを更に備え、
前記生成手段は、前記寝台又は前記受信ＲＦコイルの位置に基づいて、前記胸壁の位置を認識することを特徴とする請求項１に記載の画像処理装置。
【発明の詳細な説明】
【技術分野】
【０００１】
本発明は、画像処理装置及び画像処理装置の制御プログラムに関する。
【背景技術】
【０００２】
磁気共鳴イメージング（Magnetic  Resonance  Imaging：ＭＲＩ）装置は、対象原子核
スピンの集団が磁場中に置かれたときに、その固有の磁気モーメントと存在磁場強度とに
応じた特定の周波数（共鳴周波数）で回転する高周波磁場に共鳴し、その緩和過程で信号
（磁気共鳴信号）を発生する現象を利用して、物質の化学的及び物理的な微視的情報を取
得する装置である。
【０００３】
かかるＭＲＩ装置は、頭頸部、腹部、脊椎など、全身各部位の画像を取得することが可
能である。そのため、ＭＲＩ装置によって取得された画像は、診断目的に利用されること
が多い。また、近年、ＭＲＩ装置は、乳房の検査にも使用されている（例えば、特許文献
１参照）。ＭＲＩ装置によって取得された乳房の画像は、特に早期の乳がん検出や病変の
良悪性診断、腫瘍の広がり診断に有効であると報告されている。
【０００４】
しかし、一般的な乳腺疾患の画像診断においては、診断のエビデンス、装置普及度、検
査の簡便性などの理由からＸ線マンモグラフィー装置による検査が第一に選択される場合
が多く、次いで超音波診断装置による検査が行われる。ＭＲＩ装置による検査は、Ｘ線マ
ンモグラフィー装置や超音波診断装置による画像診断の結果を参照して腫瘤の広がりの把
握や術式を決定する場合に相補的に利用されることが多い。
【先行技術文献】
【特許文献】
【０００５】
【特許文献１】特開２００６−３２５９７２号公報
【発明の概要】
【発明が解決しようとする課題】
【０００６】
しかしながら、上述した従来の技術では、以下で説明するように、Ｘ線マンモグラフィ
ーによって取得された画像（以下、Ｘ線マンモグラフィー画像と呼ぶ）とＭＲＩ装置によ
って撮像された画像とを容易に比較することができないという課題があった。
【０００７】
例えば、乳腺画像診断の標準的手法であるＸ線マンモグラフィー装置による標準的な撮
影方法には、ＣＣ（Cranio  Caudal：頭尾）方向の撮影、ＭＬ（Medio  Lateral：内外側
）方向又はＭＬＯ（Medio  Lateral  Oblique：内外側斜位）方向の撮影がある。そして
、一般的に、これらの撮影により個々に撮影した左右の乳房の画像は、対称性を見るため
に、胸壁を合わせて並べて表示されて読影される。
【０００８】
一方、ＭＲＩ装置は３次元のデータ収集が可能である。そのため、ＭＲＩ装置による検
査では、通常、体軸断（Ａｘｉａｌ）の画像又は矢状断（Ｓａｇｉｔｔａｌ）の画像、あ
るいはそれらの方向に最大値投影した画像が読影に使用される。したがって、ＭＲＩ装置
により取得された画像の読影において、すでに撮像されているＸ線マンモグラフィー画像
との対比を行う場合に、それぞれの画像の視線方向と表示される向きが異なるため、読影
者が両者の位置関係を把握することが困難であった。
【０００９】
なお、上記課題はＭＲＩ装置に限って生じるものではなく、Ｘ線ＣＴ（Computed  Tomo
graphy）装置やＰＥＴ（Positron Emission  Tomography）装置など、他の医用画像診断
装置によって取得された乳房の画像とＸ線マンモグラフィー画像とを比較する場合にも同
様に生じるものである。
【００１０】
本発明は、上記に鑑みてなされたものであって、Ｘ線マンモグラフィーによって撮影さ
れた画像との比較を容易に行うことができる画像を読影者に提供することが可能な画像処
理装置及び画像処理装置の制御プログラムを提供することを目的とする。
【課題を解決するための手段】
【００１１】
上述した課題を解決し、目的を達成するために、請求項１記載の本発明は、画像処理装置が、被検体の左右の乳房を磁気共鳴イメージングにより撮像した３次元画像データから前記左右の乳房それぞれの２次元画像を生成し、生成した各２次元画像における胸壁部分が互いに向き合うように配置することで前記左右の乳房を対称に配置した対比用２次元画像を生成する生成手段と、前記対比用２次元画像を表示部に表示させる表示制御手段とを備え、前記生成手段は、Ｘ線マンモグラフィー撮影における頭尾方向又は左右方向のいずれに対応する方向で前記対比用２次元画像を生成するかに応じて、前記３次元画像データにおける被検体座標に基づいて投影処理を施すことで、前記対比用２次元画像を生成する。
【発明の効果】
【００１２】
本発明によれば、Ｘ線マンモグラフィーによって撮影された画像との比較を容易に行う
ことができる画像を読影者に提供することが可能なるという効果を奏する。
【図面の簡単な説明】
【００１３】
【図１】図１は、本実施例に係るＭＲＩ装置の全体構成を示す図である。
【図２】図２は、本実施例に係る計算機システムの詳細な構成を示す機能ブロック図である。
【図３】図３は、本実施例に係るＭＲＩ装置による対比用乳房画像の生成の処理手順を示すフローチャートである。
【図４】図４は、本実施例に係る対比用乳房画像生成部による頭尾方向の対比用乳房画像の生成を説明するための図である。
【図５】図５は、本実施例に係る対比用乳房画像生成部による左右方向の対比用乳房画像の生成を説明するための図である。
【図６】図６は、他の実施例に係る対比用乳房画像生成部による頭尾方向の対比用乳房画像の生成を説明するための図である。
【図７】図７は、他の実施例に係る対比用乳房画像生成部による左右方向の対比用乳房画像の生成を説明するための図である。
【発明を実施するための形態】
【００１４】
以下に、本発明に係る画像処理装置、画像処理装置の制御プログラムの実施例を図面に
基づいて詳細に説明する。なお、以下では、本発明をＭＲＩ装置に適用した場合について
説明するが、本実施例により本発明が限定されるものではない。
【００１５】
最初に、図１を用いて、本実施例に係るＭＲＩ装置の全体構成について説明する。
【００１６】
図１は、本実施例に係るＭＲＩ装置の全体構成を示す図である。同図に示すように、本実
施例に係るＭＲＩ装置１００は、静磁場磁石１、傾斜磁場コイル２、傾斜磁場電源３、寝
台４、寝台制御部５、送信ＲＦコイル６、送信部７、受信ＲＦコイル８、受信部９、及び
計算機システム１０を備える。
【００１７】
静磁場磁石１は、中空の円筒形状に形成された磁石であり、内部の空間に一様な静磁場
を発生させる。この静磁場磁石１としては、例えば永久磁石、超伝導磁石等が使用される
。
【００１８】
傾斜磁場コイル２は、中空の円筒形状に形成されたコイルであり、静磁場磁石１の内側
に配置される。この傾斜磁場コイル２は、互いに直交するＸ，Ｙ，Ｚの各軸に対応する３
つのコイルが組み合わされて形成されており、これら３つのコイルは、後述する傾斜磁場
電源３から個別に電流供給を受けて、Ｘ，Ｙ，Ｚの各軸に沿って磁場強度が変化する傾斜
磁場を発生させる。なお、Ｚ軸方向は、静磁場と同方向とする。
【００１９】
ここで、傾斜磁場コイル２によって発生するＸ，Ｙ，Ｚ各軸の傾斜磁場は、例えば、ス
ライス選択用傾斜磁場Ｇｓ、位相エンコード用傾斜磁場Ｇｅ及びリードアウト用傾斜磁場
Ｇｒにそれぞれ対応している。スライス選択用傾斜磁場Ｇｓは、任意に撮像断面を決める
ために利用される。位相エンコード用傾斜磁場Ｇｅは、空間的位置に応じて磁気共鳴信号
の位相を変化させるために利用される。リードアウト用傾斜磁場Ｇｒは、空間的位置に応
じて磁気共鳴信号の周波数を変化させるために利用される。
【００２０】
傾斜磁場電源３は、後述する計算機システム１０による制御のもと、傾斜磁場コイル２
に電流を供給する。
【００２１】
寝台４は、被検体Ｐが載置される天板４ａを備え、後述する寝台制御部５による制御の
もと、天板４ａを、被検体Ｐが載置された状態で傾斜磁場コイル２の空洞（撮像口）内へ
挿入する。通常、この寝台４は、長手方向が静磁場磁石１の中心軸と平行になるように設
置される。
【００２２】
寝台制御部５は、寝台４を制御する。例えば、寝台制御部５は、寝台４を駆動して、天
板４ａを長手方向又は上下方向へ移動する。
【００２３】
送信ＲＦコイル６は、傾斜磁場コイル２の内側に配置されたコイルである。この送信Ｒ
Ｆコイル６は、送信部７から高周波パルスの供給を受けて、高周波磁場を発生する。
【００２４】
送信部７は、後述する計算機システム１０による制御のもと、ラーモア周波数に対応す
る高周波パルスを送信ＲＦコイル６に送信する。この送信部７は、発振部、位相選択部、
周波数変換部、振幅変調部、高周波電力増幅部などを有する。発振部は、静磁場中におけ
る対象原子核に固有の共鳴周波数の高周波信号を発生する。位相選択部は、上記高周波信
号の位相を選択する。周波数変換部は、位相選択部から出力された高周波信号の周波数を
変換する。振幅変調部は、周波数変調部から出力された高周波信号の振幅を例えばｓｉｎ
ｃ関数に従って変調する。高周波電力増幅部は、振幅変調部から出力された高周波信号を
増幅する。これらの各部の動作の結果として、送信部７は、ラーモア周波数に対応する高
周波パルスを送信ＲＦコイル６に送信する。
【００２５】
受信ＲＦコイル８は、送信ＲＦコイル６により発生した高周波磁場の影響によって被検
体Ｐから放射される磁気共鳴信号を受信する。本実施例で使用される受信ＲＦコイル８は
、乳房撮像用のコイルであり、寝台４の天板４ａ上に配置される。診断時には、この受信
ＲＦコイル８の上に被検体Ｐが伏臥位で配置される。かかる受信ＲＦコイル８は、磁気共
鳴信号を受信すると、その磁気共鳴信号を受信部９へ出力する。
【００２６】
受信部９は、後述する計算機システム１０による制御のもと、受信ＲＦコイル８から出
力される磁気共鳴信号に基づいて磁気共鳴（Magnetic  Resonance:ＭＲ）信号データを生
成する。そして、受信部９は、生成したＭＲ信号データを計算機システム１０に送信する
。
【００２７】
計算機システム１０は、ＭＲＩ装置１００の全体制御やデータ収集、画像再構成などを
行う。この計算機システム１０は、インタフェース部１１、データ収集部１２、データ処
理部１３、記憶部１４、表示部１５、入力部１６、及び制御部１７を有する。
【００２８】
インタフェース部１１は、傾斜磁場電源３、寝台制御部５、送信部７及び受信部９に接
続される。そして、インタフェース部１１は、これらの接続された各部と計算機システム
１０との間で授受される信号の入出力を制御する。
【００２９】
データ収集部１２は、インタフェース部１１を介して、受信部９から送信されるＭＲ信
号データを収集する。このデータ収集部１２は、ＭＲ信号データを収集すると、収集した
ＭＲ信号データを記憶部１４に記憶させる。
【００３０】
データ処理部１３は、記憶部１４に記憶されているＭＲ信号データに対して、後処理す
なわちフーリエ変換等の再構成処理を施すことによって、被検体Ｐ内における所望核スピ
ンのスペクトラムデータあるいは画像データを生成する。
【００３１】
記憶部１４は、データ収集部１２によって収集されたＭＲ信号データや、データ処理部
１３によって生成された画像データなどを被検体Ｐごとに記憶する。
【００３２】
表示部１５は、制御部１７による制御のもと、スペクトラムデータあるいは画像データ
等の各種の情報を表示する装置である。この表示部１５としては、液晶表示器などの表示
デバイスを利用可能である。
【００３３】
入力部１６は、操作者から各種操作や情報入力を受け付ける。この入力部１６としては
、マウスやトラックボールなどのポインティングデバイス、モード切替スイッチ等の選択
デバイス、あるいはキーボード等の入力デバイスを適宜に利用可能である。
【００３４】
制御部１７は、図示していないＣＰＵ（Central  Processing  Unit）やメモリ等を有
し、ＭＲＩ装置１００を総括的に制御する。例えば、制御部１７は、操作者により設定さ
れた撮像条件に基づいて傾斜磁場電源３、送信部７及び受信部９を制御することで、各種
撮像シーケンスを実行する。
【００３５】
以上、本実施例に係るＭＲＩ装置の全体構成について説明した。このような構成のもと
、本実施例では、計算機システム１０が、被検体Ｐの左右の乳房を含む３次元空間からＭ
Ｒ信号を収集する撮像シーケンスを実行する。また、計算機システム１０は、撮像シーケ
ンスを実行することにより収集されたＭＲ信号に基づいて左右の乳房の３次元画像データ
を再構成する。また、計算機システム１０は、再構成した３次元画像データから左右の乳
房それぞれの２次元画像を生成し、生成した各２次元画像における胸壁部分を結合するこ
とで左右の乳房を対称に配置した２次元画像を生成する。そして、計算機システム１０は
、生成した２次元画像を表示部１５に表示させる。
【００３６】
ここで、上述した従来の技術では、Ｘ線マンモグラフィー画像とＭＲＩ装置によって撮像
された画像とを容易に比較することができない。例えば、乳腺画像診断の標準的手法であ
るＸ線マンモグラフィー装置による標準的な撮影方法には、ＣＣ（Cranio  Caudal：頭尾
）方向の撮影、ＭＬ（Medio  Lateral：内外側）方向又はＭＬＯ（Medio  Lateral  Obli
que：内外側斜位）方向の撮影がある。そして、一般的に、これらの撮影により個々に撮
影した左右の乳房の画像は、対称性を見るために、胸壁を合わせて並べて表示されて読影
される。
【００３７】
一方、ＭＲＩ装置は３次元のデータ収集が可能である。そのため、ＭＲＩ装置による検
査では、通常、体軸断（Ａｘｉａｌ）の画像又は矢状断（Ｓａｇｉｔｔａｌ）の画像、あ
るいはそれらの方向に最大値投影した画像が読影に使用される。したがって、ＭＲＩ装置
により取得された画像の読影において、すでに撮像されているＸ線マンモグラフィー画像
との対比を行う場合に、それぞれの画像の視線方向と表示される向きが異なるため、読影
者が両者の位置関係を把握することが困難であった。
【００３８】
しかしながら、本実施例の構成によれば、ＭＲＩ装置１００により撮像された乳房の画
像が、Ｘ線マンモグラフィー装置により撮影されるＸ線マンモグラフィー画像と同様に、
左右の乳房が胸壁を合わせて対称に配置された状態で表示される。したがって、ＭＲＩ装
置により取得された画像の読影において、すでにＸ線マンモグラフィー装置により撮影さ
れている画像との対比を行う場合に、それぞれの画像の視線方向と表示される向きが同じ
になるため、読影者が両者の位置関係を容易に把握することができる。すなわち、本実施
例によれば、Ｘ線マンモグラフィーによって撮影された画像との比較を容易に行うことが
できる画像を読影者に提供することが可能になる。
【００３９】
以下では、かかる計算機システム１０が有する機能を中心に、本実施例に係るＭＲＩ装
置１００の詳細について説明する。なお、以下では、計算機システム１０によって生成さ
れる２次元画像、すなわち、左右の乳房の２次元画像における胸壁部分を結合することで
左右の乳房を対称に配置した２次元画像を「対比用乳房画像」と呼ぶ。
【００４０】
まず、図２を用いて、本実施例に係る計算機システム１０の詳細な構成について説明す
る。図２は、本実施例に係る計算機システム１０の詳細な構成を示す機能ブロック図であ
る。なお、ここでは、図１に示したデータ処理部１３、記憶部１４、及び制御部１７に関
する機能を中心に説明する。
【００４１】
図２に示すように、記憶部１４は、ＭＲ信号データ記憶部１４ａ及び画像データ記憶部
１４ｂを記憶する。ＭＲ信号データ記憶部１４ａは、データ収集部１２によって収集され
たＭＲ信号データを記憶する。また、画像データ記憶部１４ｂは、データ処理部１３によ
って生成された画像データを記憶する。
【００４２】
また、制御部１７は、シーケンス実行部１７ａ及び表示制御部１７ｂを有する。シーケ
ンス実行部１７ａは、操作者により設定された撮像条件に基づいて各種のシーケンス実行
データを生成し、生成したシーケンス実行データにしたがって傾斜磁場電源３、送信部７
及び受信部９を制御することで、各種撮像シーケンスを実行する。なお、ここでいうシー
ケンス実行データとは、傾斜磁場電源３が傾斜磁場コイル２に供給する電源の強さや電源
を供給するタイミング、送信部７が送信ＲＦコイル６に送信するＲＦ信号の強さやＲＦ信
号を送信するタイミング、受信部９がＮＭＲ信号を検出するタイミングなど、撮像を実行
するための手順を定義した情報である。表示制御部１７ｂは、後述する対比用乳房画像生
成部１３ｂにより生成される対比用乳房画像を表示部１５に表示させる。
【００４３】
また、データ処理部１３は、画像再構成部１３ａ及び対比用乳房画像生成部１３ｂを有
する。画像再構成部１３ａは、被検体の左右の乳房を含む３次元空間から磁気共鳴信号を
収集する撮像シーケンスを実行することにより収集されたＭＲ信号データに基づいて、被
検体Ｐの左右の乳房の３次元画像データを再構成する。対比用乳房画像生成部１３ｂは、
画像再構成部１３ａにより再構成された３次元画像データから、対比用乳房画像として、
被検体Ｐの左右の乳房それぞれの２次元画像を各乳房の胸壁側を合わせて対称に配置した
２次元画像を生成する。
【００４４】
次に、主に図３を用いて、本実施例に係るＭＲＩ装置１００による対比用乳房画像の生
成の処理手順について説明する。図３は、本実施例に係るＭＲＩ装置１００による対比用
乳房画像の生成の処理手順を示すフローチャートである。なお、上述した制御部１７及び
データ処理部１３が有する各部によって行われる処理について詳細に説明する。
【００４５】
図３に示すように、本実施例に係るＭＲＩ装置１００では、計算機システム１０が、入
力部１６を介して操作者から開始指示を受け付けた場合に（ステップＳ３０１，Ｙｅｓ）
、ＭＲＩ装置１００の各部を制御することで、被検体Ｐの乳房の３次元画像を撮像する（
ステップＳ３０２）。
【００４６】
具体的には、シーケンス実行部１７ａが、傾斜磁場電源３、送信部７及び受信部９を制
御することで、被検体の左右の乳房を含む３次元空間から磁気共鳴信号を収集するための
撮像シーケンスを実行する。例えば、シーケンス実行部１７ａは、１次元の周波数エンコ
ードと２次元の位相エンコードとを組み合わせたグラディエントエコー法の撮像シーケン
スを実行する。また、データ収集部１２が、上記撮像シーケンスを実行することにより受
信部９から送信されたＭＲ信号データを収集する。そして、画像再構成部１３ａが、デー
タ収集部１２によって収集されたＭＲ信号データに対して３次元フーリエ変換処理を施す
ことで、被検体Ｐの左右の乳房の３次元画像データを再構成する。
【００４７】
通常、ＭＲＩ装置によるデータ収集は、不要な領域からの信号の折り返しを防ぐために
、帯域の制限されたＲＦパルスと傾斜磁場との組み合わせにより、３次元のうち一方向に
スライス選択をして制限された領域から行われる。このように、スライス選択により制限
された領域からデータを収集する撮像は、スライスの方向により、体軸断（Ａｘｉａｌ）
撮像、矢状断（Ｓａｇｉｔｔａｌ）撮像、冠状断（Ｃｏｒｏｎａｌ）撮像と呼ばれる。Ｍ
ＲＩ装置を用いた診断では、これら体軸断、矢状断、冠状断の一枚一枚の画像あるいはこ
れらのスライス軸に沿って最大値投影処理を行った画像を保存及び表示して診断が行われ
る。なお、乳房検査では、一般的に、体軸断又は矢状断の撮像が行われる。そこで、以下
では、これら２つの撮像が行われる場合について説明する。
【００４８】
乳腺ＭＲ検査では、ＭＲ用の造影剤を静脈より注入し、関心領域が造影される程度や造
影されるまでの時間、造影剤が流出する時間などを腫瘍の良悪性の判断の基準にすること
がある。しかし、造影剤が体外に流出される時間を考慮すると、一度の検査では造影剤は
一回しか注入できないため、左右両側の乳房の画像を一回の３次元撮像で取得することが
望ましい。
【００４９】
したがって、撮像領域を決める位置決めの際には左右両側の乳房が全て含まれるような
直方体の領域を設定する。得られたローデータを３次元フーリエ変換して得られる３次元
画像データの表示において、体軸断撮像の場合には、被検体の前後（Anterior-Posterior
）方向が画像の上下方向、被検体の左右方向が画像の左右方向となり、矢状断撮像の場合
には、被検体の頭尾（superior-inferior）方向が画像の上下、被検体の前後（Anterior-
Posterior）方向が画像の左右方向となる。
【００５０】
また、体軸断撮像の場合は左右の乳房を一度に撮像した場合には一枚の画像に左右の乳
房を保存、表示することもあるが、矢状断撮像の場合には、左右の乳房は通常別々の画像
で表示される。このような一般的なＭＲ画像の表示方法は、Ｘ線マンモグラフィーで通常
行われるＣＣ（Cranio  Caudal）撮影やＭＬ（Medio  Lateral）撮影又はＭＬＯ（Medio
lateral  Oblique）撮影の結果を左右の乳房の対称性を重視した配置にして読影する方
法とは異なるため、Ｘ線マンモグラフィーの診断情報をもとに、これとの対比でＭＲ画像
の読影を行う場合には、それぞれの画像の視線方向と表示される向きが異なる両者の位置
関係を把握することが難しい。
【００５１】
図３の説明にもどって、左右の乳房の３次元画像データが再構成された後に、対比用乳
房画像生成部１３ｂが、Ｘ線マンモグラフィー画像との対比表示を行うか否かを判定する
（ステップＳ３０３）。このとき、例えば、対比用乳房画像生成部１３ｂは、入力部１６
を介して、対比表示を行うか否かを選択する操作を操作者から受け付ける。そして、対比
用乳房画像生成部１３ｂは、受け付けた操作に基づいて、対比表示を行うか否かを判定す
る。
【００５２】
ここで、対比表示を行わないと判定した場合には（ステップＳ３０３，Ｎｏ）、対比用
乳房画像生成部１３ｂは、以下に示す手順を実行することなく処理を終了する。一方、対
比表示を行うと判定した場合には（ステップＳ３０３，Ｙｅｓ）、対比用乳房画像生成部
１３ｂは、対比用乳房画像を表示させる表示方向を判定する（ステップＳ３０４）。
【００５３】
具体的には、対比用乳房画像生成部１３ｂは、対比用乳房画像を表示させる表示方向と
して、Ｘ線マンモグラフィー撮撮影における頭尾方向（ＣＣ方向）に対応する方向、又は
、左右方向（ＭＬ方向又はＭＬＯ方向）に対応する方向のいずれかに判定する。このとき
、例えば、対比用乳房画像生成部１３ｂは、入力部１６を介して、対比用乳房画像を表示
させる方向を選択する操作を操作者から受け付ける。そして、対比用乳房画像生成部１３
ｂは、受け付けた操作に基づいて、対比用乳房画像の表示方向を判定する。
【００５４】
そして、対比用乳房画像を頭尾方向に表示させると判定した場合には（ステップＳ３０
５，Ｙｅｓ）、対比用乳房画像生成部１３ｂは、画像再構成部１３ａにより生成された３
次元画像データに対して被検体Ｐの頭尾方向に最大値投影処理を施すことで、左右の乳房
を頭尾方向に投影した２次元投影画像を生成する（ステップＳ３０６）。また、対比用乳
房画像生成部１３ｂは、生成した２次元投影画像を左右の中心で分離し、分離した左右の
２次元投影画像における胸壁部分を結合することで、胸壁を合わせて左右の乳房を対称に
配置した対比用乳房画像を生成する（ステップＳ３０７）。
【００５５】
ここで、図４を用いて、本実施例に係る対比用乳房画像生成部１３ｂによる頭尾方向の
対比用乳房画像の生成について具体的に説明する。図４は、本実施例に係る対比用乳房画
像生成部１３ｂによる頭尾方向の対比用乳房画像の生成を説明するための図である。
【００５６】
図４において、３次元画像データ４０５は、３次元撮像法による撮像シーケンスを実行
することで収集されたＭＲ信号データに対して３次元フーリエ変換処理を施すことで生成
されたものである。この３次元画像データ４０５は、右の乳房４１０及び左の乳房４１５
を含んでいる。また、Ａ，Ｐ，Ｒ，Ｌ，Ｈ，Ｆは、被検体座標における前（Ａｎｔｅｒｉ
ｏｒ）方向、後（Ｐｏｓｔｅｒｉｏｒ）方向、右（Ｒｉｇｈｔ）方向、左（Ｌｅｆｔ）方
向、頭（Ｈｅａｄ）方向、足（Ｆｅｅｔ）方向をそれぞれ表している。
【００５７】
また、点線４２５は、受信ＲＦコイル８の上端又は、寝台天板４ａの上端の垂直方向の
位置を表している。また、一点鎖線４３０は、装置座標系における左右の中心を表してい
る。ここで、点線４２５は、被検体Ｐの胸壁の前側にほぼ一致している。また、一点鎖線
４３０は、被検体Ｐの体軸に関する左右方向の中心にほぼ一致している。
【００５８】
頭尾方向の対比用乳房画像を生成する場合には、例えば、対比用乳房画像生成部１３ｂ
は、矢印４２０で示した頭尾（ＨＦ）方向に最大値投影処理を行い、対比用乳房画像とな
る２次元投影画像を作成する。このとき、対比用乳房画像生成部１３ｂは、おおよそ胸壁
に相当する部分より背中側（後側）の領域を除いた領域４３５に対して最大値投影処理を
行う。なお、ここで図４における右の乳房４１０及び左の乳房４１５は製図の都合上完全
に分離されて表現されている。しかし、実際には上述のように領域４３５は胸壁を含んだ
領域となる。したがって、右の乳房４１０及び左の乳房４１５は、実際には、点線４２５
の近傍で接続しているものとして理解されたい。このことは、図５ないし図７においても
同様である。
【００５９】
ここで、最大値投影が行われる領域４３５と除外される領域との境界としては、例えば
、点線４２５で示すように、受信ＲＦコイル８又は寝台天板４ａの垂直方向の位置を基準
として、この位置より一定の幅だけ背中側の位置が設定される。これにより、最大値投影
処理が行われる範囲を適切に設定することができる。また、この方法で所定の範囲を設定
することによって、乳房及び胸壁の一部を含む領域のみを選択し、診断に不要な肺や心臓
などの領域を排除することができる。
【００６０】
なお、この領域の選択、排除は、受信ＲＦコイル８や寝台天板４ａの位置を基準とする
ものに限られず、画像認識によって行われても良い。この場合、例えば、左右乳房をパタ
ーン認識して領域４３５を選択するなどする。さらに具体的には、左右乳房の横方向の大
きさが被検体の前側から後側にかけてどう変化しているかを認識し、胸壁付近では左右乳
房が接近、接続するので、この接続した位置を胸壁の位置として認識し、最大値投影が行
われる領域４３５を選択するなどとしても良い。
【００６１】
なお、ここでは、対比用乳房画像生成部１３ｂが、３次元画像データ４０５の限られた
領域に対して最大値投影処理を行う場合について説明した。この他にも、例えば、対比用
乳房画像生成部１３ｂが、３次元画像データ４０５上の全領域に対して最大値投影処理を
行い、その後、最大値投影処理により得られた２次元画像上で不要な領域を削除するよう
にしてもよい。
【００６２】
そして、最大値投影処理を行った後に、対比用乳房画像生成部１３ｂは、最大値投影処
理により得られた２次元投影像４４０を装置座標における左右の中心に相当する線４５５
で分離する。続いて、対比用乳房画像生成部１３ｂは、分離した２つの画像のうち、右の
乳房を含む画像４６０を時計方向に９０度回転し、左の乳房を含む画像４６５を反時計方
向に９０度回転する。その後、対比用乳房画像生成部１３ｂは、回転した各画像を、胸壁
を合わせて対称になるように結合することで、対比用乳房画像４７０を生成する。
【００６３】
なお、被検体Ｐが寝台４に載置される際に、被検体Ｐの体軸に関する左右方向の中心が
装置座標の左右中心に一致するように被検体Ｐの位置が設定されていれば、装置座標の左
右中心に相当する位置で画像を左右に分離すると、結合した画像の上下方向すなわち被検
体の左右方向の左右の乳房の対称性が保たれる。これにより、得られた対比用乳房画像４
７０は、Ｘ線マンモグラフィー装置によるＣＣ方向の撮影によって取得された２枚の画像
を対称に配置して読影を行う際の表示方法と視線及び方向が一致したものとなる。したが
って、Ｘ線マンモグラフィー画像とＭＲ画像との対比を容易に行うことができるようにな
る。
【００６４】
ここで、Ｘ線マンモグラフィー画像とＭＲ画像の対比は、それぞれ別の表示部に表示さ
れた画像を対比することによって行われても良いが、これに限られない。例えば、表示制
御部１７ｂは、外部から取得したマンモグラフィー画像と対比用乳房画像４７０を、同じ
スケールとなるように画像サイズ調整して、同じ表示部１５に表示してもよい。具体的に
は、表示制御部１７ｂは取得したＸ線マンモグラフィー画像と対比用乳房画像４７０それ
ぞれの実寸に対する画素サイズを比較し、一方を拡大又は縮小することにより、同じ大き
さで乳房が映し出されるように画像調整してもよい。具体的な表示形態としては、Ｘ線マ
ンモグラフィー画像と対比用乳房画像４７０を近接配置して並列表示しても良いし、どち
らか一方を入力部１６への入力指示に従って切り替えて表示してもよい。
【００６５】
図３の説明にもどって、対比用乳房画像を左右方向に表示させると判定した場合には（
ステップＳ３０５，Ｎｏ）、対比用乳房画像生成部１３ｂは、画像再構成部１３ａにより
生成された３次元画像データに対してその３次元画像データの中心から左右それぞれの方
向に最大値投影処理を施すことで、左右それぞれの乳房を投影した２次元投影画像を生成
する（ステップＳ３０８）。また、対比用乳房画像生成部１３ｂは、生成した各２次元投
影画像における胸壁部分を結合することで、胸壁を合わせて左右の乳房を対称に配置した
対比用乳房画像を生成する（ステップＳ３０９）。
【００６６】
ここで、図５を用いて、本実施例に係る対比用乳房画像生成部１３ｂによる左右方向の
対比用乳房画像の生成について具体的に説明する。図５は、本実施例に係る対比用乳房画
像生成部１３ｂによる左右方向の対比用乳房画像の生成を説明するための図である。なお
、図５に示す３次元画像データ４０５は、図４に示したものと同じである。
【００６７】
左右方向の対比用乳房画像を生成する場合には、例えば、対比用乳房画像生成部１３ｂ
は、頭尾方向の対比用乳房画像を生成する場合と同様に、おおよそ胸壁に相当する部分よ
り背中側（後側）の領域を除いた領域４３５に対して最大値投影処理を行う。つまり、対
比用乳房画像生成部１３ｂは、胸壁に相当する境界線よりも前側の領域について行うが、
この場合には、装置座標における左右の中心を現す一点鎖線４３０で領域４３５を２つに
分け、それぞれの領域を矢印５２０及び５２５で示す左右方向に最大値投影する。これに
より、右の乳房を左右方向の２次元投影画像５６０、及び、左の乳房の左右方向の２次元
投影画像５６５が得られる。
【００６８】
そして、最大値投影処理を行った後に、対比用乳房画像生成部１３ｂは、最大値投影処
理により得られた２次元投影画像５６０と２次元投影画像５６５とを胸壁が合わさるよう
に回転して結合することで、対比用乳房画像５７０を生成する。これにより、得られた対
比用乳房画像５７０は、Ｘ線マンモグラフィー装置によるＭＬ方向又はＭＬＯ方向の撮影
によって取得された２枚の画像を対称に配置して読影を行う際の表示方法と視線及び方向
がほぼ一致したとものなる。
【００６９】
図３にもどって、対比用乳房画像生成部１３ｂによって対比用乳房画像が生成されると
、表示制御部１７ｂが、生成された対比用乳房画像を表示部１５に表示させる（ステップ
Ｓ３１０）。
【００７０】
上述したように、本実施例では、シーケンス実行部１７ａが、被検体Ｐの左右の乳房を
含む３次元空間からＭＲ信号を収集する撮像シーケンスを実行する。また、画像再構成部
１３ａが、シーケンス実行部１７ａが撮像シーケンスを実行することにより収集されたＭ
Ｒ信号に基づいて左右の乳房の３次元画像データを再構成する。また、対比用乳房画像生
成部１３ｂが、画像再構成部１３ａにより再構成された３次元画像データから左右の乳房
それぞれの２次元画像を生成し、生成した各２次元画像における胸壁部分を結合すること
で左右の乳房を対称に配置した対比用乳房画像を生成する。そして、表示制御部１７ｂが
、対比用乳房画像生成部１３ｂにより生成された対比用乳房画像を表示部１５に表示させ
る。
【００７１】
このように、本実施例では、ＭＲＩ装置１００により撮像された乳房の画像が、Ｘ線マ
ンモグラフィー画像と同様に、左右の乳房が胸壁を合わせて対称に配置された状態で表示
される。したがって、本実施例によれば、Ｘ線マンモグラフィーによって撮影された画像
との比較を容易に行うことができる画像を読影者に提供することが可能になる。また、本
実施例によれば、Ｘ線マンモグラフィー画像とＭＲ画像との対比が容易になるので、微小
石灰化の存在位置をマンモグラフィーから判断し、ほぼ同じ領域の浸潤性乳管癌をＭＲで
検索するなどの診断を行うことも可能になる。
【００７２】
なお、上記実施例では、３次元画像データに対して最大値投影処理を行うことで乳房の
２次元画像を生成し、その２次元画像を用いて対比用乳房画像を生成する場合について説
明した。しかし、対比用乳房画像を生成する方法はこれに限られない。
【００７３】
例えば、最大値投影処理以外にも、最小値投影を伴う投影処理、加算平均を伴う投影処
理などの、３次元画像データを２次元画像に変換する処理であれば上記実施例に適応可能
である。加えて、対比用乳房画像を生成する方法は、投影処理等の３次元画像データを２
次元画像に変換する処理を含むとも限らない。
【００７４】
例えば、対比用乳房画像生成部１３ｂが、画像再構成部１３ａによって再構成された３
次元画像データから被検体Ｐの左右方向に並ぶ複数の体軸断面の断層像を生成し、生成し
た複数の断層像を左右の中心で２つの画像群に分け、左側の画像群に含まれる断層像の胸
壁部分と右側の画像群に含まれる画像の胸壁部分とを結合することで、複数の対比用乳房
画像を生成するようにしてもよい。
【００７５】
図６は、他の実施例に係る対比用乳房画像生成部１３ｂによる頭尾方向の対比用乳房画
像の生成を説明するための図である。この場合には、対比用乳房画像生成部１３ｂは、画
像再構成部１３ａによって生成された３次元画像データから体軸断面の断層像を領域選択
して切り出し、切り出した各断層像を左右に分離して回転し結合する。
【００７６】
このとき、対比用乳房画像生成部１３ｂは、例えば、図６に示す３次元画像データ４０
５に含まれる領域のうち、おおよそ胸壁に相当する部分より背中側の領域を除いた領域４
３５から、複数の体軸断面の断層像を切り出すことで、２次元画像の画像群６０５を得る
。そして、対比用乳房画像生成部１３ｂは、得られた画像群６０５を装置座標における左
右の中心で２分した後に、２分された画像群６１０の左右両側をそれぞれ回転して結合す
ることで、対比用乳房画像の画像群６１５を生成する。これにより、Ｘ線マンモグラフィ
ー装置によるＣＣ方向の撮影によって取得された２枚の画像を対称に配置して読影を行う
際の表示方法と視線及び方向が一致した複数の対比用乳房画像が得られる。
【００７７】
また、例えば、対比用乳房画像生成部１３ｂが、画像再構成部１３ａによって再構成さ
れた３次元画像データから被検体Ｐの頭尾方向に並ぶ複数の矢状断面の断層像を作成し、
生成した複数の断層像を３次元画像データの中心から同じ距離に位置する画像ごとに胸壁
部分を結合することで、複数の対比用乳房画像を生成するようにしてもよい。
【００７８】
図７は、他の実施例に係る対比用乳房画像生成部１３ｂによる左右方向の対比用乳房画
像の生成を説明するための図である。この場合には、対比用乳房画像生成部１３ｂは、画
像再構成部１３ａによって生成された３次元画像データから矢状断面の断層像を領域選択
して切り出し、切り出した各断層像を装置座標における左右方向の中心からの距離が等し
い２枚の２次元画像ごとにそれぞれ回転し結合する。
【００７９】
このとき、対比用乳房画像生成部１３ｂは、例えば、図７に示す３次元画像データ４０
５に含まれる領域のうち、おおよそ胸壁に相当する部分より背中側の領域を除いた領域４
３５から、複数の矢状断面の断層像を切り出すことで、２次元画像の画像群を得る。そし
て、対比用乳房画像生成部１３ｂは、得られた画像群を装置座標における左右中心４３０
で分けることで、２次元画像の画像群を画像群７０５と画像群７１０とに分ける。図７に
示す例では、画像群７０５は右側の乳房を含んだ２次元画像の組になり、画像群７１０は
左側の乳房を含んだ２次元画像の組になる。
【００８０】
その後、対比用乳房画像生成部１３ｂは、画像群７０５及び画像群７１０それぞれから
、装置座標における左右中心４３０から等距離にある画像を選択し、選択した各画像を胸
壁を合わせて被検体Ｐの頭尾方向が一致するように結合することで対比用乳房画像を生成
する。例えば、図７に示すように、対比用乳房画像生成部１３ｂは、装置座標における左
右中心４３０から距離ｄだけ離れた位置にある画像データａ及びｂを用いて、１枚の対比
用画像を作成する。対比用乳房画像生成部１３ｂは、装置座標における左右中心４３０か
ら等距離にある画像ごとに同様の処理を行うことで、対比用画像の画像群７１５を生成す
る。これにより、Ｘ線マンモグラフィー装置によるＭＬ方向又はＭＬＯ方向の撮影によっ
て取得された２枚の画像を対称に配置して読影を行う際の表示方法と視線及び方向がほぼ
一致した複数の対比用乳房画像が得られる。
【００８１】
なお、上記実施例では、３次元空間から収集されたＭＲ信号に対して３次元フーリエ変
換処理を施すことで３次元画像データを再構成し、その３次元画像データを用いて対比用
乳房画像を生成する場合について説明した。しかしながら、本発明はこれに限られるもの
ではない。例えば、２次元のマルチスライス撮像を行って得られたボリュームデータを用
いることでも、本発明を同様に実施することが可能である。
【００８２】
また、乳腺ＭＲ検査では、ＭＲＩ装置が、造影剤注入後の組織の信号値の変化をとらえ
るために連続撮像を行い、連続撮像により得られた時系列画像の各ピクセルにおける時間
に対する信号値の変化曲線（タイムインテンシティーカーブ）を生成し、その変化曲線に
おける曲線の傾きや信号値が最大値に到達した時刻などを示す値を各ピクセルの色に対応
づけた画像を生成して診断用の画像として提供することもある。これらのいわゆるカラー
マップ画像など、ＭＲ信号から再構成された画像に対して何らかの後処理を施した画像デ
ータについても、上記実施例で説明した処理を行うことで、左右の乳房の２次元画像にお
ける胸壁部分を結合することで左右の乳房を対称に配置した２次元画像として表示するこ
とが可能である。
【００８３】
また、ＭＲＩ装置においては、さまざまなシーケンスによって異なる性質の画像を生成
できるという特徴がある。例えば、Ｔ１強調画像、Ｔ２強調画像などがあり、互いに画像
上で強調される組織が異なる。このほかにも造影、非造影で行われる種々の血管強調画像
が提供されうる。また、拡散強調画像という、拡散係数の低い信号を強調する画像を生成
することもできる。この拡散強調画像では、密度の高い細胞を強調することができるため
、悪性腫瘍の検出に向いており、乳房の腫瘍診断にも有用であるといえる。本実施例にお
いては、上記のものをはじめとして、種々の性質の画像が用いられうる。その場合、これ
ら種々の性質の複数の画像それぞれに対して、上述したように最大値投影が行われる領域
を選択され、胸壁部分を結合し、左右の乳房を対称に配置した２次元画像が生成される。
【００８４】
これに加え、このような異なる性質の画像を対比観察することにより、それぞれ単独では
得られない診断情報を得られることもある。したがって、本実施例において、表示制御部
１７ｂは、Ｘ線マンモグラフィと、複数種類のＭＲＩ画像との対比も可能な表示形態で各
画像を表示してもよい。対比可能な表示の具体例としては、Ｘ線マンモグラフィー画像と
複数のＭＲＩ画像を全て並列に表示しても良い。また、同時に表示される画像は、Ｘ線マ
ンモグラフィー画像と複数のＭＲＩ画像のうちのどれか一つとし、入力部１６への所定の
入力によって切り替えて表示してもよい。さらに、複数のＭＲＩ画像のうちの一つとＸ線
マンモグラフィー画像との二つを同時に表示し、複数のＭＲＩ画像を所定の入力によって
切り替えて表示してもよい。また、図６、図７に示されるような複数の対比用乳房画像を
生成する場合であって、複数のＭＲＩ画像を表示する場合には、常に同じ位置に対応した
複数のＭＲＩ画像が表示されるよう制御されることが望ましい。
【００８５】
また、上記実施例では、左右の乳房の２次元画像における胸壁部分を結合することで左
右の乳房を対称に配置した２次元画像として表示すると記してきた。しかし、ここでいう
、胸壁部分とは、必ずしも胸壁が写し出された部分のみ指すものではなく、胸壁よりもす
こし手前の実際には胸壁を含まない部分でもよい。要はＸ線マンモグラフィー装置での撮
像範囲に対して比較可能な領域が表示されればよい。左右の乳房の２次元画像は必ずしも
胸壁部分で結合されなくともよい。つまり、胸壁部分が互いに向き合うように配置されて
いれば、実際に結合されない形態も考えられる。例えば、左右の乳房の２次元画像の胸壁
部分が若干の隙間をおいて配置されていても、X線マンモグラフィー像と対比可能な２次
元画像が生成され、本実施形態の思想を逸脱するものではないことは明白である。
【００８６】
また、上記実施例では、ＭＲＩ装置１００に本発明を適用した場合について説明したが
、本発明はこれに限られるものではない。例えば、ネットワークを介してＭＲＩ装置に接
続された画像処理装置にも本発明を同様に適用することが可能である。この場合には、Ｍ
ＲＩ装置１００が、対比用乳房画像のもとになる３次元ＭＲ信号データや３次元画像デー
タをネットワーク又は記録媒体を経由して画像処理装置に転送する。そして、画像処理装
置が、ＭＲＩ装置から転送された３次元ＭＲ信号データや３次元画像データに基づいて、
上記実施例で説明した計算機システム１０と同様の処理を行うことによって、対比用乳房
画像を生成して表示する。
【００８７】
また、上記実施例で説明したシーケンス実行部１７ａ、表示制御部１７ｂ、画像再構成
部１３ａ、及び対比用乳房画像生成部１３ｂの機能は、その全て又は一部の機能をソフト
ウェアで実現することもできる。すなわち、図３に示した処理手順を規定した画像処理プ
ログラムをコンピュータに実行させることで、上記各部の機能を実現する。このとき、画
像処理プログラムは、コンピュータにあらかじめインストールされていてもよいし、磁気
ディスクや光磁気ディスク、光ディスク、半導体メモリなどのリムーバブルな記録媒体に
記録され、あるいはネットワークを介して配布されて、コンピュータ装置に適宜インスト
ールされてもよい。
【００８８】
また、上記実施例では、ＭＲＩ装置１００に本発明を適用した場合について説明したが
、本発明はこれに限られるものではない。例えば、Ｘ線ＣＴ装置やＰＥＴ装置など、Ｘ線
マンモグラフィー装置を除いた他の医用画像診断装置にも本発明を同様に適用することが
可能である。
【００８９】
なお、本発明は上記実施形態そのままに限定されるものではなく、上記実施形態に開示
されている複数の構成要素の適宜な組み合わせにより、種々の発明を形成できる。例えば
、実施形態に示される全構成要素から幾つかの構成要素を削除してもよい。さらに、異な
る実施形態にわたる構成要素を適宜組み合わせてもよい。
【符号の説明】
【００９０】
１００    ＭＲＩ装置
１０    計算機システム
１３    データ処理部
１３ａ    画像再構成部
１３ｂ    対比用乳房画像生成部
１４    記憶部
１４ａ    ＭＲ信号データ記憶部
１４ｂ    画像データ記憶部
１７    制御部
１７ａ    シーケンス実行部
１７ｂ    表示制御部
【図１】
0006041366.tif 000002
【図２】
0006041366.tif 000003
【図３】
0006041366.tif 000004
【図４】
0006041366.tif 000005
【図５】
0006041366.tif 000006
【図６】
0006041366.tif 000007
【図７】
0006041366.tif 000008